(57)【特許請求の範囲】
【請求項１】
床面上を転動するタイヤを備えた清掃具用の清掃ブラシであって、
清掃具に枢支されて床面上を転接可能とされ、
複数本の針金の素線の間に多数本の毛材を挟み、該素線をねじってより合わせた芯線のそれら素線のより合せ部に毛材を固定し、芯線の周囲に毛材からなるロール状掻き上げ部を形成し、
ロール状掻き上げ部を形成する毛材は、最大ロール外径部を形成する毛材と、それより小半径長をなす様々な長さの毛材が周方向と軸方向に長さのばらつきをもって形成され、ロール状掻き上げ部を形成する一部の毛材の半径長をタイヤ径より大きくし、他の毛材の半径長をタイヤ径より小さくしてなる清掃具用の清掃ブラシ。
【請求項２】
素線のより合せ部に固定される毛材の一端側半径長は芯線の中心軸まわりに大きめに、他端側半径長は小さめにできている請求項１に記載の清掃具用の清掃ブラシ。
【請求項３】
前記毛材の長さは完成時のロール状掻き上げ部の最大ロール外径より短く、
該毛材を芯線に固定した後に、前記毛材が最大ロール外径より突出したものの先端を切り揃えてなる請求項１又は２に記載の清掃具用の清掃ブラシ。
【請求項４】
請求項１〜３に記載の清掃具用の清掃ブラシを用いた清掃具であって、
前記清掃具用の清掃ブラシに対する清掃進み方向と反対側にゴミ捕集部のすくい面を備え、
清掃ブラシの掻き上げ部を構成する毛材の一部であり、芯線からの長さの長い毛材の先端がすくい面の清掃進み方向の先端と接触する清掃具。
【発明の詳細な説明】
【技術分野】
【０００１】
本発明は清掃具に用いられる清掃ブラシに関する。
【背景技術】
【０００２】
清掃ブラシとして、特許文献１に記載の如く、清掃具に枢支されて床面上を転接可能とされ、複数本の針金の素線の間に多数本の毛材の概ね中央部を挟み、該素線をねじってより合わせた芯線のそれら素線のより合せ部に毛材を固定し、芯線の周囲に毛材からなるロール状掻き上げ部を形成したものがある。
【特許文献１】特開2003-199698
【発明の開示】
【発明が解決しようとする課題】
【０００３】
従来技術では、清掃ブラシの掻き上げ部を構成する毛材の素材として、当該素材の長さが掻き上げ部の目標とするロール外径より大きいものを用い、芯線に固定された殆んど全ての毛材の先端を切り揃えて目標ロール外径の掻き上げ部を形成するようにしている。
【０００４】
ここで、清掃具は、タイヤを備えて床面上を移動する過程で、清掃ブラシの掻き上げ部が掻き上げる床面上のゴミを捕集しようとする。このとき、清掃ブラシの殆んど全ての毛材の先端を切り揃えられた掻き上げ部のロール外径が、タイヤ径より大きいと、タイヤが床面上から浮き上がり、タイヤを床面に押付けて回転させるため、使用者に必要とされる操作力が過大になる。清掃ブラシの掻き上げ部のロール外径をタイヤ径と同等の小さ目にすると、毛材の先端が床面の溝底に届かずゴミの捕集性が悪い。
【０００５】
また、清掃具は、清掃ブラシに対する清掃進み方向と反対側にゴミ捕集部のすくい面を備え、清掃ブラシの掻き上げ部が毛材の腹をすくい面に接触させて、清掃ブラシの掻き上げるゴミをすくい面に沿ってもらさずにゴミ捕集部に捕集しようとする。このとき、清掃ブラシの掻き上げ部のロール外径を大きくし、殆んど全ての毛材の先端が長目に切り揃えられていると、清掃ブラシとすくい面との接触抵抗が大きくなり、使用者に必要とされる操作力が過大になるし、それら毛材の先端がすくい面の先端部と床面の間に挟まれて清掃ブラシの回転を阻害する。清掃ブラシの掻き上げ部のロール外径を小さくすると、清掃ブラシとすくい面の間からゴミがもれる。
【０００６】
本発明の課題は、清掃ブラシを用いる清掃具の操作性を良好にするとともに、ゴミの捕集性も向上することにある。
【課題を解決するための手段】
【０００７】
請求項１の発明は、床面上を転動するタイヤを備えた清掃具用の清掃ブラシであって、清掃具に枢支されて床面上を転接可能とされ、複数本の針金の素線の間に多数本の毛材を挟み、該素線をねじってより合わせた芯線のそれら素線のより合せ部に毛材を固定し、芯線の周囲に毛材からなるロール状掻き上げ部を形成し、ロール状掻き上げ部を形成する毛材は、最大ロール外径部を形成する毛材と、それより小半径長をなす様々な長さの毛材が周方向と軸方向に長さのばらつきをもって形成され、ロール状掻き上げ部を形成する一部の毛材の半径長をタイヤ径より大きくし、他の毛材の半径長をタイヤ径より小さくしてなるようにしたものである。
【発明を実施するための最良の形態】
【０００８】
清掃具１０は、床面等の清掃面上のゴミ、例えば大粒、小粒の粒ゴミ、又はカーペット等の繊維に絡み付いた髪の毛等のゴミを捕集するものであり、図１〜図８に示す如く、柄１１の先端部に継手１２を介して支持アーム１３を清掃方向に交差する左右方向に揺動自在に結合し、支持アーム１３の両側アーム部１３Ａに枢着部１４を介してフレーム１５を清掃方向に沿う前後方向に揺動自在に支持している。
【０００９】
フレーム１５の清掃方向に沿う前部には可撓清掃ブラシ１６が回動自在に支持され、フレーム１５の清掃方向に沿う後部には接触回転体１８が回動自在に支持され、清掃ブラシ１６と接触回転体１８は平行に並べられて配置される。
【００１０】
清掃ブラシ１６は、回転軸１６Ａと、回転軸１６Ａの軸方向の全長に渡ってブラシの毛が植設されたブラシロールからなる掻き上げ部１６Ｂと、回転軸１６Ａの両端部に結合された両側の増速タイヤ１７（変速タイヤ）からなる。掻き上げ部１６Ｂは粘着ロール２１に接触しても、接触しなくても良い。両側のタイヤ１７は該タイヤ１７にゴミがかみ込まないようにフレーム１５の両外側に配置されるが、フレーム１５の内側に設けても良い。
【００１１】
接触回転体１８は、粘着ロール２１のための駆動手段であり、回転軸１８Ａと、回転軸１８Ａの軸方向の両端側２位置（軸方向３位置等の複数位置でも可）に固定される円盤状の回転子１８Ｂと、回転軸１８Ａの両端部に結合された両側の増速タイヤ１９（変速タイヤ）からなる。回転子１８Ｂは粘着ロール２１に接触する。両側のタイヤ１９はフレーム１５の両外側に配置される。
【００１２】
清掃ブラシ１６の掻き上げ部と接触回転体１８の回転子１８Ｂの上には、それらに跨がる粘着ロール２１が乗せられて載置され、粘着ロール２１は清掃ブラシ１６と接触回転体１８の回転に連れ回る。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１３】
清掃具１０は、図２に示す如く、フレーム１５における掻き上げ部１６Ｂに対する清掃進み方向の反対側後部に塵取部３０（ゴミ捕集部）を配置する。塵取部３０は、フレーム１５にネジ３１Ａにて取付けられるゴミ受け部３１を有し（図５）、ゴミ受け部３１の前方下部から下ゴミ止め部３２を立ち上げ、前方上部に上ゴミ止め部３３を設ける。上ゴミ止め部３３は後述する粘着ロールホルダ５０の回転カバー５２の回転進入時の外周に沿う円弧状をなし、上ゴミ止め部３３の下縁は掻き上げ部１６Ｂの外周に近接する。下ゴミ止め部３２の上縁と上ゴミ止め部３３の下縁の間をゴミ送り間隔（ゴミ送り込み口）３４とする。掻き上げ部１６Ｂが弾き飛ばすゴミがゴミ送り込み口３４経由でゴミ受け部３１に捕集される。
【００１４】
塵取部３０は、ゴミ受け部３１の後部開口３１Ａに後蓋３５を開閉自在に備える。後蓋３５は、ゴミ受け部３１の後方下部に設けた支軸３５Ａに下端部を揺動自在に支持し、上端部に係止レバー３６を備える。係止レバー３６は、後蓋３５に軸３７を介して枢着され、コイルばね３８のばね力によりゴミ受け部３１の後方上部に設けた係止爪３１Ｂに係止し（図２）、手動操作によって回動されて係止爪３１Ｂとの係止を解除する。塵取部３０へのゴミ捕集時には、後蓋３５によりゴミ受け部３１の後部開口３１Ａを閉じ、ゴミ払い出し時には、係止レバー３６により開き操作される後蓋３５によりゴミ受け部３１の後部開口３１Ａを開き、後部開口３１Ａからゴミ除去する。尚、ゴミ受け部３１と後蓋３５の間で、支軸３５Ａのまわりには、後蓋３５を開き方向に付勢する後蓋開き用コイルばね３９が設けられる。塵取部３０のゴミ受け部３１、後蓋３５等は、ゴミの捕集状態を視認できるような透明材料にて構成されるのが良い。
【００１５】
塵取部３０は、ゴミ受け部３１の下ゴミ止め部３２の前縁側、かつ清掃ブラシ１６の掻き上げ部１６Ｂの後部に設けられ、掻き上げ部１６Ｂの全幅に渡って隙間なく又は隙間を介して）相対するピックアップ部材４０を備える。ピックアップ部材４０は、掻き上げ部１６Ｂが床から掻き上げるゴミを塵取部３０へとガイドするすくい面４１と、床にならってすくい面４１を床に対して一定の角度に保持する底面４２とを有する。すくい面４１は左右両側部から立上るガイド壁４３を備える。ガイド壁４３は、掻き上げ部１６Ｂが掻き上げたゴミの横外方へのこぼれ落ち防止を図るとともに、すくい面４１から前方に突出した部分の下角部に大きなアールを設け、この下角部がカーペットの下に潜り込むことを防止する。
【００１６】
塵取部３０は、図４、図５に示す如く、ゴミ受け部３１の下ゴミ止め部３２の前縁の左右２ヶ所に、ゴミ受け部３１の底部に対し鋭角をなして斜交するスライド筒４４を設ける。ピックアップ部材４０は、底面４２の上面の左右２ヶ所に、すくい面４１に平行するスライドロッド４５を設け、すくい面４１の裏面とスライドロッド４５の間につなぎ板４６を設け、スライドロッド４５の上端側環状溝には抜け止め用止め輪４７Ａ及びワッシャ４７Ｂが係着できる。
【００１７】
塵取部３０は、図５に示す如く、ピックアップ部材４０のスライドロッド４５をゴミ受け部３１のスライド筒４４に嵌合するとともに、スライドロッド４５に付設されているつなぎ板４６をゴミ受け部３１の底部及びスライド筒４４の前面側に切開されているスライド溝４４Ａに嵌合し、スライド筒４４から突き出たスライドロッド４５の上端側環状溝に止め輪４７Ａを係着して抜け止めとする。これにより、塵取部３０は、ピックアップ部材４０のスライドロッド４５をゴミ受け部３１のスライド筒４４に対してスライド自在にし、ピックアップ部材４０をゴミ受け部３１に対し、上下方向に変位自在にする。ピックアップ部材４０の底部は、ゴミ受け部３１の底部より被清掃面寄りに突き出る下降位置と、ゴミ受け部３１の底部と概ね面一をなす上昇位置との間で、上下方向に変位する。ピックアップ部材４０は、下降位置にあっても、上昇位置にあっても、平面状（又は曲面状）のすくい面４１を、清掃ブラシ１６の掻き上げ部１６Ｂの全巾に沿って隙間なく（又は隙間を介して）相対する後方に向けて上り勾配をなし、該すくい面４１の最下端部を被清掃面としての床面に接し、清掃ブラシ１６の掻き上げ部１６Ｂが掻き上げるゴミを床面に沿う後方に逃がすことなく、その全てのゴミを上方にガイドする。
【００１８】
塵取部３０は、図５に示す如く、ピックアップ部材４０に覆われるゴミ受け部３１における底部の前縁中央部にねじりばね（弾性体）４８の中央ねじり部を固定し、ねじりばね４８の両側先端部をピックアップ部材４０における底面４２の裏面に圧接する。
【００１９】
清掃具１０によるフローリング等の清掃時には、塵取部３０のピックアップ部材４０が自重及びねじりばね４８の付勢力により下降位置に設定され、ピックアップ部材４０の最下端部を床面に隙間なく接し、ゴミ受け部３１の底部を床面から浮かす。
【００２０】
他方、清掃具１０によるカーペット等の清掃時には、塵取部３０のピックアップ部材４０がカーペットの毛足の抵抗によりゴミ受け部３１に近づく側に上昇せしめられる。このとき、ねじりばね４８は圧縮されて弾性変形する。
【００２１】
尚、ゴミ受け部３１の側のスライド筒４４と、ピックアップ部材４０の側のスライドロッド４５は余裕（ガタ）をもって挿入されており、ピックアップ部材４０がスライド軸方向にスライドしたり、清掃前後方向に揺動したり、左右方向に揺動したりできる。これにより、ピックアップ部材４０のすくい面４１、床面４２が床の凹凸に柔軟に追従できる。
【００２２】
清掃具１０は、図６、図７に示す如く、ゴミ受け部３１の前縁側底部の最前部の概ね全域に連続（又は不連続でも可）をなす凸状リブ４９Ａを設けるとともに、ピックアップ部材４０の底面４２の後縁部の概ね全域に連続（又は不連続でも可）をなし、上記凸状リブ４９Ａと概ね同一高さの上向き立上り部４９Ｂを設ける。そして、ピックアップ部材４０が上方に変位したときに、ピックアップ部材４０の底面４２の上面をゴミ受け部３１の凸状リブ４９Ａに当接可能にし、かつピックアップ部材４０の上向き立上り部４９Ｂをゴミ受け部３１の前縁側底部の下面に当接可能にするものである。
【００２３】
清掃具１０は、フレーム１５における清掃ブラシ１６と接触回転体１８の上部に粘着ロールホルダ５０を設け、清掃ブラシ１６と接触回転体１８の上に粘着ロール２１を載置する。粘着ロール２１は、粘着ロールホルダ５０の後述する両ロール支軸５３、５４に径方向遊びをもってセットされながら、清掃ブラシ１６と接触回転体１８の上に載置され、清掃ブラシ１６と接触回転体１８の回転に連れ回る。
【００２４】
粘着ロールホルダ５０は、フレーム１５の前方寄り上面で清掃方向に直交する横方向において、清掃ブラシ１６と接触回転体１８に相並ぶ範囲に渡る、概ね矩形枠状をなす窓枠５１を設け、この窓枠５１の左右両側部内面に回転カバー５２を回転可能に設ける。回転カバー５２は、半円弧状段面又はＵ字状断面等の透明材料からなる略半割筒状体をなし、両側壁を有する。回転カバー５２の左右一方の側壁に固定側ロール支軸５３を設けるとともに、左右他方の側壁にスライド側ロール支軸５４を設け、両ロール支軸５３、５４に粘着ロール２１のコア２１Ｂを回転自在に支持する。
【００２５】
粘着ホルダ５０は、清掃ブラシ１６及び接触回転体１８と粘着ロール２１をフレーム１５に支持された状態を維持してそれらの清掃ブラシ１６及び接触回転体１８と粘着ロール２１の接触状態と非接触状態を切り替える隔離手段を構成する。具体的には、粘着ロールホルダ５０は、回転カバー５２の両側壁の外面に突設させた左右の回転支軸５５を、窓枠５１の左右両側部に設けた軸孔に嵌合し、回転カバー５２をそれらの回転支軸５５まわりで開閉回転できる。このとき、回転カバー５２の回転支軸５５を、ロール支軸５３、５４に対し偏芯させる。回転カバー５２の閉じ状態で、回転支軸５１よりも、ロール支軸５３、５４を清掃ブラシ１６と接触回転体１８に近づける（回転支軸５１が清掃ブラシ１６、接触回転体１８に対する距離よりも、ロール支軸５３、５４が清掃ブラシ１６、接触回転体１８に対する距離を小さくする）。これにより、回転カバー５２の回転時に、回転カバー５２が清掃ブラシ１６、接触回転体１８に干渉しない。
【００２６】
回転カバー５２は、図２に示す如く、回転カバー５２の半円弧状断面又はＵ字状断面等の半割断面の前縁フランジ（磁石５６を具備する）を窓枠５１の前部上縁の鉄板５７に当接する閉じ位置に位置付けられた状態で、窓枠５２を閉じ、両ロール支軸５３、５４に支持されている粘着ロール２１を覆い、清掃ブラシ１６及び接触回転体１８と粘着ロール２１を接触状態にする。他方、回転カバー５２の前縁フランジを窓枠５１の後部上縁の鉄板５８に当接する開き位置に位置付けられた状態で、窓枠５１を開き、回転カバー５２を清掃ブラシ１６、接触回転体１８と粘着ロール２１の間に介在して粘着ロール２１を外界に臨ませ、清掃ブラシ１６及び接触回転体１８と粘着ロール２１を非接触状態にし、両支軸５３、５４に新旧粘着ロール２１のコア２１Ｂを着脱し、又は両ロール支軸５３、５４にセットされている粘着ロール２１の使用済粘着シート２１Ａを剥離除去可能にする。即ち、回転カバー５２は閉じ位置から開き位置へ移行するとき、回転カバー５２の前縁フランジと反対側の後縁部を清掃ブラシ１６、接触回転体１８の上方に通過させ、これによって清掃ブラシ１６、接触回転体１８と粘着ロール２１の間に介在する。これにより、回転カバー５２を開き状態にして、両支軸５３、５４にセットされている粘着ロール２１の粘着シート２１Ａの使用済の１周巻き分を剥離除去しようとするとき、粘着シート２１Ａを清掃ブラシ１６、接触回転体１８の外周に粘着させずにスムースに剥離できる。粘着シート２１Ａの剥離端は、回転カバー５２の前縁又は後縁のエッジを用いて切断できる。
【００２７】
尚、清掃具１０は、図２、図３に示す如く、ピックアップ部材４０の底面４２における、すくい面４１の最下端部に隣接（近接）する前側部の左右方向で概ね全幅に渡る拭部材６１を備える。
【００２８】
また、ピックアップ部材４０の底面４２における、すくい面４１から離隔する後側部にサブ拭部材６２を備える。サブ拭部材６２は、底面４２の左右方向の中央部の狭幅範囲にだけ設けられる。
【００２９】
拭部材６１、６２は、起毛布、スポンジ等のクッション性のある柔軟材料からなる。本実施例では、拭部材６１（６２も同じ）は、平板状基部６１Ａに多数の起毛６１Ｂを植設した起毛布からなる。
【００３０】
清掃具１０は、ピックアップ部材４０の底面４２における拭部材６１、６２が設けられる部分にくぼみ６３、６４を設け、拭部材６１の基部６１Ａは粘着テープ等の接着剤６３Ａを介してくぼみ６３の内部でその底面に接着され、拭部材６２の基部も粘着テープ等の接着剤を介してくぼみ６４の内部でその底面に接着される。
【００３１】
清掃具１０において、ピックアップ部材４０が拭部材６１、６２を備えたことによる清掃動作の詳細について説明する。
【００３２】
(1)フローリングの前進清掃状態（図６）
清掃具１０のフローリング上での前進時、フローリング上のほこりや小さなゴミは、ピックアップ部材４０のすくい面４１の最下端部に隣接する底面４２の拭部材６１により集められ、拭部材６１により集められてすくい面４１の最下端部から前方に溢れたゴミは、清掃ブラシ１６の掻き上げ部１６Ｂ（ブラシロール）によりすくい面４１上を掻き上げられる。従って、細かいほこりや小さなゴミも、拭部材６１の後方に逃がすことなく捕集できる。尚、この前進時に拭部材６１からすくい面４１の最下端部の間に残るほこりは、後述する後進時に除去される。
【００３３】
ピックアップ部材４０の底面４２の前後２ヶ所に拭部材６１、６２を設けたから、硬質プラスチックからなる底面４２を床に接触させず、床をこする異音の発生がない。また、底面４２と床の間に直に土ほこり等の硬い汚れを挟んでこれを床に押し付けることがなく、床を傷つけることもない。サブ拭部材６２は底面４２の全幅に渡って設けても良いが、カーペット清掃時の抵抗が大きくなるし、底面４２の中央部に設けるだけで上述の底面４２を床に接触させない機能を果たすことができるから、本実施例では底面４２の中央部にだけ設けることにした。
【００３４】
(2)フローリングの後進清掃状態（図７）
清掃具１０は、清掃ブラシ１６の掻き上げ部１６Ｂのブラシの毛の長さを後述の如くばらつくように作ってあるから、掻き上げ部１６Ｂの一部の毛は塵取部３０の上ゴミ止め部３３に接触して抵抗を受け、またピックアップ部材４０のすくい面４１に接触して抵抗を受ける。清掃具１０の後進時には、前タイヤ１７が若干浮き、清掃ブラシ１６を駆動する力が小さいため、掻き上げ部１６Ｂ（ブラシロール）は上記抵抗により回転しない。尚、清掃具１０の前進時には、前タイヤ１７に柄１１からの操作力が加わり、清掃ブラシ１６を駆動する力が大きくなるため、掻き上げ部１６Ｂは上記抵抗に打ち勝って回転する。
【００３５】
即ち、清掃具１０のフローリング上での後進時には、掻き上げ部１６Ｂが回転しないので、上述(1)の前進時に拭部材６１からすくい面４１の最下端部にかけて残ったほこりや小さなゴミが掻き上げ部１６Ｂの方へと移動し、掻き上げ部１６Ｂのブラシの間に絡む。従って、残ったほこりが床に筋状に残ることがない。また、掻き上げ部１６Ｂのブラシに絡んだほこりは次の前進時に清掃ブラシ１６の回転とともに掻き上げられ、塵取部３０或いは粘着ロール２１に捕捉される。
【００３６】
(3)カーペットの清掃状態（図８）
清掃具１０のカーペットでの清掃時には、ピックアップ部材４０の床面４２のくぼみ６３、６４に接着されている拭部材６１、６２は、カーペットの毛にそれらの起毛６１Ｂを押されてなびき、抵抗は小さい。
【００３７】
また、ピックアップ部材４０の底面４２は硬質プラスチックからなり、カーペットの毛がこの広い硬質床面４２を押し上げるから、ピックアップ部材４０が必要以上にカーペットに沈み込むことがなく、抵抗は小さい。尚、拭部材６１、６２の起毛６１Ｂとカーペットとの抵抗により、ピックアップ部材４０は適度な抵抗を受け、少しカーペットに沈むから、すくい面４１によりカーペット表面のゴミをすくい上げ易くなる。また、ゴミ受け部３１の側の凸状リブ４９Ａとピックアップ部材４０の側の上向き立上り部４９Ｂの働きで、ピックアップ部材４０は先端が上がりすぎて掻き上げ部１６Ｂのブラシの毛先を踏んだり、先端が下がりすぎてカーペットの毛の中に突き刺さったりして抵抗が大きくなることもない。
【００３８】
清掃具１０による清掃動作は以下の通りなされる。
(1)柄１１の軸方向に加える操作力によりフレーム１５を介して清掃ブラシ１６のタイヤ１７及び接触回転体１８のタイヤ１９を床面に加圧しながら清掃具１０を前進させ、清掃ブラシ１６及び接触回転体１８を回動させ、同時に粘着ロール２１を連れ回り回転させる。
【００３９】
(2)清掃ブラシ１６の掻き上げ部１６Ｂが床面上のゴミを掻き上げると、このゴミは塵取部３０を構成するピックアップ部材４０のすくい面４１にガイドされて粘着ロール２１の側に送り出され、粘着ロール２１の粘着面に吸着捕捉される。大きなゴミはすくい面４１からゴミ受け部３１に送り込まれて捕捉される。
【００４０】
(3)粘着ロール２１の粘着面の全周に多量のゴミが捕捉されたことが視認されたら、粘着ロールホルダ５０の回転カバー５２を開き、粘着シート２１Ａの１周分を剥離切断除去し、新規粘着面を露出せしめる。
【００４１】
(4)塵取部３０のゴミ受け部３１に多量のゴミがたまったことを視認したら、後蓋３５を開き、ゴミ受け部３１のゴミを廃棄する。
【００４２】
以下、清掃ブラシ１６の構成について説明する（図９〜図１１）。
清掃ブラシ１６は、図９、図１０に示す如く、複数本（例えば２本）の針金からなる素線７１の間に多数本の毛材７２の概ね中央部を挟み、該素線７１をねじってより合わせた芯線７０のそれら素線７１、７１のより合せ部に毛材７２を挟んで固定し、芯線７０の周囲に毛材７２からなるロール状掻き上げ部１６Ｂを形成したものである。芯線７０が清掃ブラシ１６の回転軸１６Ａを構成する。
【００４３】
ここで、清掃ブラシ１６は、毛材７２の素材長さＬ（例えば51mm）を掻き上げ部１６Ｂの所望とされる最大ロール外径Ａ（例えば54mm）より小さくしてある。掻き上げ部１６Ｂの最大ロール外径は、芯線７０に固定された毛材７２のうち、当該毛材７２の先端が当該最大ロール外径より突出しているものの先端を切り揃えられて形成される。図１０（Ａ）は本発明例の清掃ブラシ１６であり、毛材７２の素材長さＬを51mm、外径54mmより突出している一部の毛材７２の先端を切り揃えて最大ロール外径Ａを54mmとしたものである。図１０（Ｂ）は従来例の清掃ブラシ１６であり、毛材７２の素材長さＬを57mm、全ての毛材７２の先端を切り揃えて最大ロール外径Ａを50mmとしたものである。
【００４４】
清掃具１０にあっては、清掃ブラシ１６の掻き上げ部１６Ｂの最大ロール外径Ａを、タイヤ１７のタイヤ径より長くしてある。また、清掃ブラシ１６の掻き上げ部１６Ｂを構成する毛材７２の一部であり、芯線７０からの半径長の長い毛材７２の先端がピックアップ部材４０のすくい面４１の清掃進み方向の先端（最下端部）と接触するようにしてある。
【００４５】
ここで、清掃ブラシ１６は、掻き上げ部１６Ｂの毛材７２が床面やすくい面４１に接して適正な弾性たわみを生ずるように、フレーム１５に支持される掻き上げ部１６Ｂの中心位置（回転軸１６Ａ）を適正位置に定める必要がある。また、タイヤ１７は、床面との接触により適正な回転力を得ることができるように、フレーム１５に支持されるタイヤ１７の中心位置を適正位置に定める必要がある。このため、清掃ブラシ１６とタイヤ１７は互いに偏心配置され、清掃具１０の走行安定性を確保するために清掃ブラシ１６よりタイヤ１７を前方に位置付け、清掃ブラシ１６の中心位置をタイヤ１７の中心位置から斜め後方に位置付ける。
【００４６】
図１１は、清掃ブラシ１６の製造装置を示す。毛置台８１の長手方向各部の上に毛置台８１の長手方向に直交する多数本の毛材７２を置く。毛置台８１の長手方向の両側にクランプ装置８２と回転装置８３を配置する。クランプ装置８２はＵターン状で往復２本をなす素線７１の２つの端部を保持し、ばね８２Ａの引張力によってスライドレール８２Ｂに沿うように引張られ、素線７１に張力を付与する。回転装置８３は素線７１のＵターン部が引掛けられるフック８３Ａを有し、モータ８３Ｂによりフック８３Ａを回転する。これにより、多数本の毛材７２の概ね中央部を挟んだ往復２本の素線７１をフック８３Ａの回転によってねじってより合わせ、よられた芯線７０のそれら素線７１のより合せ部に毛材７２を固定し、掻き上げ部１６Ｂを形成する。
【００４７】
本発明例の清掃ブラシ１６では、芯線７０を構成する２本の素線７１の線径を2mmとし、豚毛からなる毛材７２の素材長さＬを51mm、毛材７２の太さを0.05mm〜0.3mmの範囲内で多様に異ならせた太い毛材〜細い毛材が混在するようにし、最大ロール外径Ａを54mmとする掻き上げ部１６Ｂを製作した。掻き上げ部１６Ｂの単位軸長（1mm）、かつ全周に渡る毛材７２の植毛密度は25〜50本／mm、より好適には45本／mmであった。タイヤ１７のタイヤ径を42mmとし、清掃ブラシ１６の中心とタイヤ１７の中心の偏心量を7.6mm、清掃ブラシ１６の中心をタイヤ１７の中心から水平に対し斜め30度上後方に配置した。
【００４８】
本実施例によれば以下の作用効果を奏する。
(a)清掃ブラシ１６において、掻き上げ部１６Ｂの最大ロール外径Ａより小さい素材長さＬの毛材７２を、芯線７０のより合せ部に固定してロール状掻き上げ部１６Ｂを形成する。これにより、(1)芯線７０のより合せ加工時の振動等により、毛材７２が芯線７０を構成する素線７１に対し毛材７２の長手方向にずれ動き、芯線７０に対する毛材７２の一端側半径長を大き目に、他端側半径長は小さ目にできる。また、(2)芯線７０のより合せにより、芯線７０を構成する素線７１のより合せ部は芯線７０の中心軸まわりで螺旋状にねじれ、それら素線７１のより合せ部に固定される毛材７２の一端側半径長は芯線７０の中心軸まわりに大き目に、他端側半径長は芯線７０の中心軸まわりに小さ目にできる。従って、清掃ブラシ１６の掻き上げ部１６Ｂは、大半径長をなして最大ロール外径部を形成する少数の毛材７２と、それより小半径長をなす様々な長さの毛材７２が周方向と軸方向にばらつきをもって形成される。
【００４９】
(b)清掃ブラシ１６の芯線７０に固定された毛材７２のうち、当該毛材７２の先端が所望の最大ロール外径より突出しているものの先端を切り揃えることにより、最大ロール外径を所望の値に設定できる。
【００５０】
(c)清掃具１０は、タイヤ１７を備えて床面上を移動する過程で、清掃ブラシ１６の掻き上げ部１６Ｂが掻き上げる床面上のゴミを捕集しようとする。このとき、芯線７０まわりの毛材７２の半径長に上述(a)のばらつきをもたせたから、一部の毛材７２の半径長をタイヤ径より大きくしても、他の毛材７２の半径長がタイヤ径より小さく、清掃ブラシ１６は床面に対する反発力が分散されて長い毛材７２はしなり、清掃ブラシ１６が床面につっぱることなく小操作力でもタイヤ１７の床面への設置性が良く、タイヤ１７の回転を妨げない。また、清掃ブラシ１６の一部の大半径長の毛材７２の先端は床面の溝底にも届き、ゴミの捕集性を向上する。
【００５１】
(d)清掃具１０は、清掃ブラシ１６に対する清掃進み方向と反対側に塵取部３０のすくい面４１を備え、清掃ブラシ１６の掻き上げ部１６Ｂが毛材７２の腹をすくい面４１に接触させて、清掃ブラシ１６が掻き上げるゴミをすくい面４１に沿ってもらさずに塵取部３０に捕集しようとする。このとき、芯線７０まわりの毛材７２の半径長に上述(a)のばらつきをもたせたから、全ての毛材７２がすくい面４１に面一で接触するようなことがなく、毛材７２とすくい面４１との抵抗が少なくなり、使用者に必要とされる操作力を軽くできるし、すくい面４１の最下端部と床面の間に挟まれ得る長目の毛材７２も一部だけであって清掃ブラシ１６の回転を阻害することがない。また、大半径長の毛材７２の腹がすくい面４１に接触してゴミをすくい上げ、清掃ブラシ１６とすくい面４１の間からのゴミもれを防止できる。
【００５２】
(e)清掃具１０は、塵取部３０のすくい面４１に溝を設ければ、清掃ブラシ１６の掻き上げ部１６Ｂにおける毛材７２の半径長を概ね均一としても、毛材７２とすくい面４１との抵抗を少なくすることができる。しかし、すくい面４１に溝を設けると、溝に粒ゴミが引っ掛かる、又は溝に粒ゴミが嵌まる不都合があり、すくい面４１に溝を設けず概ね滑らかなものとすることが好ましい。毛材７２の半径長さにバラツキを持たせることによって、毛材７２とすくい面４１との抵抗を少なくしつつ、様々な大きさの粒ゴミの捕集性能についても向上させることができる。
【図面の簡単な説明】
【００５３】
【図１】図１は清掃具を示す全体図である。
【図２】図２は清掃具を示す断面図である。
【図３】図３は清掃具を示す底面図である。
【図４】図４は清掃具を一部破断して示す斜視図である。
【図５】図５は塵取部とピックアップ部材を示す斜視図である。
【図６】図６は清掃具によるフローリングの前進清掃状態を示す模式図である。
【図７】図７は清掃具によるフローリングの後進清掃状態を示す模式図である。
【図８】図８は清掃具によるカーペットの清掃状態を示す模式図である。
【図９】図９は清掃ブラシを示す模式図である。
【図１０】図１０は清掃ブラシの要部を示し、（Ａ）は本発明例を示す模式図、（Ｂ）は従来例を示す模式図である。
【図１１】図１１は清掃ブラシの製造装置を示す斜視図である。
【符号の説明】
【００５４】
１０  清掃具
１６  清掃ブラシ
１６Ｂ  掻き上げ部
１７  タイヤ
３０  塵取部（ゴミ捕集部）
４１  すくい面
７０  芯線
７１  素線
７２  毛材
【図１】
0004666630.tif 000002
【図２】
0004666630.tif 000003
【図３】
0004666630.tif 000004
【図４】
0004666630.tif 000005
【図５】
0004666630.tif 000006
【図６】
0004666630.tif 000007
【図７】
0004666630.tif 000008
【図８】
0004666630.tif 000009
【図９】
0004666630.tif 000010
【図１０】
0004666630.tif 000011
【図１１】
0004666630.tif 000012